(57)【特許請求の範囲】
【請求項１】
先端部に注出口を設けたノズルを有する容器本体と、この容器本体を密封するキャップとからなるものであって、
前記キャップを構成するキャップ主体は、
前記ノズルを嵌入させる凹状の係合部が中心部に形成されるとともに、前記係合部の内奥部に前記注出口を閉止する突起が形成され、
前記キャップ主体の外周部には、
当該キャップ主体に前記注出口を嵌入させた状態において、下端部がキャップ主体の下端部より突出し、前記容器本体の肩部を越える軸方向の長さを有するとともに、容器本体に面する側の形状が、ノズル部を含む容器本体上部の形状に倣った形状を有する複数のブレードが形成されていること
を特徴とする接着剤用容器。
【請求項２】
前記ブレードは、
前記キャップ主体の外周部に、放射状にかつ３〜８個が対称的に設けられていること
を特徴とする請求項１に記載の接着剤用容器。
【請求項３】
容器本体のノズルを嵌入させる凹状の係合部が中心部に形成されるとともに、前記係合部の内奥部に、前記ノズルの注出口を閉止する突起が形成され、
前記キャップ主体の外周部には、
当該キャップ主体に前記注出口を嵌入させた状態において、下端部がキャップ主体の下端部より突出し、前記容器本体の肩部を越える軸方向の長さを有するとともに、容器本体に面する側の形状が、ノズル部を含む容器本体上部の形状に倣った形状を有する複数のブレードが形成されていること
と特徴とする接着剤用容器のキャップ。
【請求項４】
前記ブレードは、
前記キャップ主体の外周部に、放射状にかつ３〜８個が対称的に設けられていること
を特徴とする請求項３に記載の接着剤用容器のキャップ。
【発明の詳細な説明】
【技術分野】
【０００１】
この発明は、液状接着剤などを収容する液体用容器、特に、瞬間接着剤用の容器として好適な容器と、この接着剤用容器のキャップに関するもので、容器製造技術に属するものである。
【背景技術】
【０００２】
先端部に注出口を設けたノズルを有する液体用容器は、特に液状接着剤容器において、細かい作業、すなわち、接着剤を細かく精確に、直接被着部材に塗布するに適しているものであるため、種々の製品の製造や修理、さらには家庭などにおいても、広く用いられている。
【０００３】
しかしながら、接着剤を始めとする各種液状物は、使用又は保存環境下において容易に硬化するものが多く、容器のノズル先端の注出口から吐出された液状物が、注出口周辺で固化し、容器の注出性能を低下させるだけでなく、当該注出口を閉鎖せしめるキャップを容器本体に固着させてしまい、容器内に利用可能の液状物が存在するにも関わらず、未使用の内容物が利用できないという問題を発生させるものである。
【０００４】
このような問題を解消するものとして、例えば、実公昭６３−４９３３２号公報（特許文献１）においては、液体流出部周辺に付着し、乾燥固化した固化物を簡単に取り除くためにキャップに、液体流出部の外周面の形状と略同形状の受面が形成されてなる可撓性を有する弾性片により構成される除去部を設けることが提案されている。
【特許文献１】実公昭６３−４９３３２号公報（実用新案登録請求の範囲）
【発明の開示】
【発明が解決しようとする課題】
【０００５】
しかしながら、上記の除去部は、キャップ内に設けられるものであるため、除去部を収納可能とする大きさを有するキャップにしか適用できないこと、液体流出部周辺の状況観察が行い難いこと、さらには除去部が可撓性を有する弾性片により構成されているため、固化物を除去する際に応力を充分に掛けることができず、特にキャップと容器が固着している場合を考慮しているものではなく、その様な場合の取り外しは、殆ど不可能というものである。
【０００６】
この発明はかかる現状に鑑み、液体用容器、特に瞬間接着剤用の容器において発生する、接着剤の固化によってキャップと接着剤用容器とが固着し難く、かつ固着した場合でも、両者を簡単に取り外しでき、内容物を無駄にしない接着剤用容器およびそのキャップを提供せんとするものである。
【課題を解決するための手段】
【０００７】
前記の目的を達成するため、この発明の請求項１に記載の発明は、
先端部に注出口を設けたノズルを有する容器本体と、この容器本体を密封するキャップとからなるものであって、
前記キャップを構成するキャップ主体は、
前記ノズルを嵌入させる凹状の係合部が中心部に形成されるとともに、前記係合部の内奥部に前記注出口を閉止する突起が形成され、
前記キャップ主体の外周部には、
当該キャップ主体に前記注出口を嵌入させた状態において、下端部がキャップ主体の下端部より突出し、前記容器本体の肩部を越える軸方向の長さを有するとともに、容器本体に面する側の形状が、ノズル部を含む容器本体上部の形状に倣った形状を有する複数のブレードが形成されていること
を特徴とする接着剤用容器である。
【０００８】
また、この発明の請求項２に記載の発明は、
請求項１に記載の接着剤用容器において、
前記ブレードは、
前記キャップ主体の外周部に、放射状にかつ３〜８個が対称的に設けられていること
を特徴とするものである。
【０００９】
また、この発明の請求項３に記載の発明は、
容器本体のノズルを嵌入させる凹状の係合部が中心部に形成されるとともに、前記係合部の内奥部に、前記ノズルの注出口を閉止する突起が形成され、
前記キャップ主体の外周部には、
当該キャップ主体に前記注出口を嵌入させた状態において、下端部がキャップ主体の下端部より突出し、前記容器本体の肩部を越える軸方向の長さを有するとともに、容器本体に面する側の形状が、ノズル部を含む容器本体上部の形状に倣った形状を有する複数のブレードが形成されていること
と特徴とする接着剤用容器のキャップである。
【００１０】
また、この発明の請求項４に記載の発明は、
請求項３に記載の接着剤用容器のキャップにおいて、
前記ブレードは、
前記キャップ主体の外周部に、放射状にかつ３〜８個が対称的に設けられていること
を特徴とするものである。
【発明の効果】
【００１１】
この発明の接着剤用容器は、細長いノズルの先端部に形成された注出口を有する容器本体を閉鎖するキャップを、前記注出口を有するノズルを嵌入させて接着剤用容器を閉鎖するための凹部の係合部が形成されているキャップ主体と、このキャップ主体の外周部に、当該キャップ主体に前記注出口を嵌入させた状態において、下端部がキャップ主体の下端部より突出し、前記容器本体の肩部を越える軸方向の長さを有するとともに、容器本体に面する側の形状が、ノズル部を含む容器本体上部の形状に倣った形状を有する複数のブレードとで構成されている。したがって、以下のような優れた効果が奏される。
【００１２】
複数のブレードがキャップ主体から放射状に突出しているため、キャップを接着剤用容器に嵌めたり、取り外す際に、回転方向に力を掛けることが容易である。
また、前記構成によって、注出口の設けられたノズル先端部とブレードとは殆ど接触せず、接触している際もその接触面積は僅かであるため、注出口の周りに内容物の固化物が付着したり、キャップと注出口が固着したりした際、それらを除去したり、取り外したりすることが簡単に行なうことができる。
【００１３】
また、ブレードの間から係合部を確認できるので、ノズルの先端をキャップ主体の係合部に嵌合させる際に目視しながら行なうことができる。
また、放射状に突出する複数のブレードの内周面を、前記ノズルの外周部に沿って移動させることによって、嵌合の際のガイドとしての機能を有するので、ノズルの先端を、キャップ主体の係合部への嵌合を極めて容易に行なうことができる。
さらに、キャップ主体の係合部を上向きにして、ノズルの先端を上から挿し込むようにして嵌合することも可能とするものである。
【発明を実施するための最良の形態】
【００１４】
以下、この発明にかかる接着剤用容器およびそのキャップを、添付の図面を参照し具体的に説明するが、この発明は以下の実施形態にのみ限定されるものではなく、要旨を変更しない範囲で種々変更を加えることができる。
【００１５】
この発明の接着剤用容器１は、図１に示すように、容器本体３とキャップ２からなるもので、これらは通常、ポリプロピレンやポリエチレンなどの合成樹脂を材質とし、射出成形法などで調製されるものである。
【００１６】
前記のキャップ２は、図２〜図４で明らかなように、前記容器本体３のノズル８の先端部に形成された注出口７を受け入れる凹部の係合部６を有するキャップ主体４と、キャップ主体４から放射状に突出するブレード５，５・・・から構成されるもので、ブレード５はキャップ主体４の周りに３〜８個、好ましくは対称的に設けられる。
【００１７】
このキャップ主体４は成形性の面から、またブレード５，５・・・の取付け易さの面から筒状であるのが好ましいが、角柱状または上部が延びた、いわゆる砲弾状であってもよい。
なお、係合部６の内奥部の中心には、前記注出口７を閉止する突起６ａが一体的に形成されている。
【００１８】
前記キャップ主体４から、対称的にかつ放射状に突出する複数のブレード５は、キャップ主体４を回転させる際に、回転力を付与するために有効に機能するものである。
また、前記ブレード５の下端部をキャップ主体４の下端部より突出させるもので、キャップ主体４にノズル８を嵌入させた状態において、キャップ主体４の下部より突出した部分が、注出口７を形成する容器本体３の肩部を越える軸方向の長さを有するものとされている。
さらに、その突出部の内側、すなわち容器本体３に面する側の形状を、容器本体３の形状に倣った形状とされていることにより、ノズル８をキャップ主体４の係合部６に嵌合する際に、ガイドとしての機能を発揮させることができる。
【００１９】
当該ブレード５は、キャップ主体４から放射状に突出するものであるため、ノズル８の先端部と殆ど接触せず、基部が接触している形状のものでも、その接触面積は僅かであるため、ノズル８の先端部、すなわち注出口７周辺で、内容物が固化し、キャップ２と容器本体３とが固着しても、その取り外しが困難になることはない。
また、当該ブレード５は、前述のように、キャップ２に、回転力を付与できるものであるため、その点からも、固着したキャップ２と容器本体３の取り外しを容易にし、注出口７周辺に固着した内容物の除去も容易にできるのである。
さらに、ブレード５の上端部をキャップ主体４の上面とほぼ同一平面上に位置するようにすると、キャップ主体４の係合部を上向きに自立させて、注出口７を下向きにしたノズル８を上から挿し込むようにして嵌合することが容易となり好ましい。
【００２０】
容器本体３は、図５に示されるように、先端部に注出口７を有するノズル８が設けられているものである。
また、図５に示される容器本体３は、上部容器３ａと下部容器３ｂとに分離可能としたもので、分離した下部容器３ｂに内容物を充填し、充填終了後両者を螺合により結合して容器本体３とするもので、内容物の充填操作が容易に行われる。
なお、螺子９は、不用意に開放されることのないように逆螺子とすることが好ましい。
【００２１】
この発明の接着剤用容器１としては、上記のように容器本体３とキャップ２からなるものであるが、内容物が使用環境又は保存環境に影響されやすいもの、例えば、瞬間接着剤のような、大気中において硬化するものである場合は、シール特性に優れた包装用ケース１０に接着剤用容器１を収容し、かつ、接着剤用容器１と包装用ケース１０と一体化して接着剤用容器とすることが好ましく、その一例を以下に説明する。
【００２２】
図６は、この発明の接着剤用容器１を収容する包装用ケース１０を示すものである。
この包装用ケース１０は、脚部が円錐台又は角錐台状で、自立性を有するケース本体１１と、このケース本体１１に着脱自在に装着されるカバー部材１２から構成され、容器本体３とキャップ２と同様に、ポリプロピレンやポリエチレンなどの合成樹脂を材質とするもので、射出成形法などで調製されるものである。
【００２３】
前記カバー部材１２は、図７に示すように、上部に頂面を有する円筒体の内面下部に、封止部を形成するために内径を縮小するための段部１３と、段部１３に近接して環状のシール用凸部１４が設けられている。
また、その上部には、係止用の環状凸部１５が形成され、段部１３から水平面に対して傾斜したガイド面１７を有する係止解除用凸部１６が複数垂直に設けられている。
さらに、カバー部材１２の外面上部には、カバー部材１２を回転させる際の滑り止め用に凹凸部１８が設けられている。
【００２４】
一方、ケース本体１１は、図８〜図９に示すように、円錐台又は角錐台状の脚部１９と中空円筒状の収容部２０とから構成される。
この収容部２０は、その中間部が、透視可能なように、相対する周壁部を対称的に切り抜いて形成した切欠き部２１を有し、切欠き部２１の下部は拡径してシール部２２が形成され、この切欠き部２１とシール部２２の中間には、係止用の複数の突起２３が同一円周上に設けられている。
【００２５】
また、収容部２０の最下部、すなわち、シール部２２の下部には、水平面に対して傾斜したガイド面２５を有する係止解除片２４が複数垂直に設けられている。
このケース本体１１の係止解除片２４とカバー部材１２の係止解除用凸部１６は、それぞれ対応する位置に設けられているもので、このケース本体１１に形成された係止解除片２４に形成された傾斜状のガイド面２５と、前記カバー部材１２の内周部に形成された係止解除用凸部１６の傾斜状のガイド面１７とが互いに係合し合って、カバー部材１２をガイド面２５に沿って上方に持ち上げるものである。
なお、前記切欠き部２１の側部に設けられた複数の線状突起２６は、収容された容器１を押圧力により変形させ、内容物を押出す際に押圧し易くするためのものである。
【００２６】
なお、図１０は、上記に示した構成の包装用ケース１０の要部を示す拡大図で、図１０において、カバー部材１２の最奥部（頂部）に変質防止剤２７（瞬間接着剤の場合は乾燥剤）が載置される。
【００２７】
これらの図が示すように、接着剤用容器１が収容される、ケース本体１１とカバー部材１２から形成される包装用ケース１０の内部空間は、ケース本体１１とカバー部材１２の拡径および縮径によりシール部が形成される。
さらにこのシールは、環状のシール用凸部１４の存在により、より確実になり、外界すなわち大気と容器１が遮断され、また、変質防止剤２７の効果により、接着剤用容器１内の内容物が硬化や固化することが防止される。
【００２８】
さらにまた、これらの措置を施しても、接着剤用容器１の内容物の使用中、あるいは使用後の保存状態が適切でなく、容器１の内容物が注出口７周辺で硬化ないし固化し、容器本体３とキャップ２を固着した場合においても、キャップ２の放射状に突出する複数のブレード５を利用して、キャップ２を回転させることにより、容器本体３とキャップ２の固着を解くことができ、接着剤用容器１の内容物のさらなる利用を可能とする。
【００２９】
図１０の部分切欠図に示される、この発明の容器本体３とキャップ２からなる接着剤用容器１を収容した包装用ケース１０は、以下のようにして組立てられ使用される。
【００３０】
先端部に注出口７を有する上部容器３ａと下部容器３ｂからなる容器本体３は、上部容器３ａと下部容器３ｂとが分離された状態で、下部容器３ｂに内容物が充填され、充填終了後両者を螺合により結合して、内容物入りの容器本体３とされ、キャップ２にノズル８を嵌入し、密閉される。
【００３１】
その際、注出口７の開口は突起６ａによって自動的に閉止される。
また、下部容器３ｂを、包装用ケース１０を構成するケース本体１１の中空円筒状の収容部２０に挿入し保持させた状態とし、そこに内容物を充填することもでき、それに上部容器３ａを螺合し、キャップ２を嵌合することも可能である。
【００３２】
キャップ２が施された接着剤用容器１は、包装用ケース１０を構成するケース本体１１の中空円筒状の収容部２０に保持させる。
その際、上部容器３ａと下部容器３ｂの接合部を、中空円筒状の収容部２０内で、かつ切欠き部２１の上に位置させて表面に表われないようにすると、誤って上部容器３ａと下部容器３ｂを分離してしまう危険を防止できるので好ましい。
【００３３】
接着剤用容器１を保持したケース本体１１には、あらかじめ最奥部（頂部）に変質防止剤２７が載置されたカバー部材１２が嵌合され、全体が被覆される。
その際、カバー部材１２の環状のシール用凸部１４が、ケース本体１１の係止用の突起２３を乗り越えさせることによって、カバー部材１２とケース本体１１が確実に係止される。
また、上記したように、ケース本体１１とカバー部材１２の拡径および縮径により、シール部が形成され、外界すなわち大気と接着剤用容器１が遮断され、その状態１で接着剤用容器延いては内容物が保存される。
【００３４】
かかる包装用ケース１０に収容された接着剤用容器１を使用する時は、カバー部材１２をケース本体１１から引き抜いて嵌合状態を解くことが必要である。
この発明のカバー部材１２とケース本体１１には、それぞれ、対応する位置に、ガイド面１７，２５を有する係止解除用凸部１６と、係止解除片２４が設けられているので、カバー部材１２を時計回りに回転させると、ガイド面１７，２５が互いに係合し、結果としてカバー部材１２をケース本体１１から離反するように持ち上げるので、容易に嵌合状態を解くことができる。
【００３５】
カバー部材１２が外された接着剤用容器１を保持するケース本体１１は、それ自体を接着剤用容器と見なして使用することができる。
また、キャップ２を取り除いて、切欠き部２１に露出している容器本体３を直接押圧することにより、あるいは切欠き部２１の側部に設けられた複数の線状突起２６を押圧することによって接着剤用容器１を変形させて内容物を、注出口７から押出して使用することができる。
使用後は、キャップ２およびカバー部材１２を上記したように嵌合することにより、次の利用機会まで、品質を低下させることなく、内容物を維持することができる。
【図面の簡単な説明】
【００３６】
【図１】この発明にかかる接着剤用容器の一例を示す正面図である。
【図２】前記接着剤用容器を構成するキャップの一部切欠き正面図である。
【図３】図２に示すキャップの平面図である。
【図４】図２に示すキャップの底面図である。
【図５】図１に示す接着剤用容器の一部切欠き分解図である。
【図６】この発明にかかる接着剤用容器を収納する包装用ケースの一例を示す正面図である。
【図７】図６に示す包装用ケースを構成するカバー部材の一部切欠き図である。
【図８】図６における包装用ケースを構成するケース本体の正面図である。
【図９】ケース本体の側面図である。
【図１０】包装用ケースの一部切欠き断面図である。
【図１１】図１０の要部の拡大断面図である。
【符号の説明】
【００３７】
１    接着剤用容器
２    接着剤用容器のキャップ
３    容器本体
４    キャップ主体
５    ブレード
６    係合部
６ａ  突起
７    注出口
８    ノズル
９    螺子
１０  包装用ケース
１１  ケース本体
１２  カバー部材
１３  段部
１４  シール用環状凸部
１５  係止用環状凸部
１６  係止解除用凸部
１７  ガイド面
１８  滑り止め用凹凸部
１９  脚部
２０  容器収容部
２１  切欠き部
２２  シール部
２３  係止用突起
２４  係止解除片
２５  ガイド面
２６  線状突起
２７  変質防止剤
【図１】
0004548013.tif 000002
【図２】
0004548013.tif 000003
【図３】
0004548013.tif 000004
【図４】
0004548013.tif 000005
【図５】
0004548013.tif 000006
【図６】
0004548013.tif 000007
【図７】
0004548013.tif 000008
【図８】
0004548013.tif 000009
【図９】
0004548013.tif 000010
【図１０】
0004548013.tif 000011
【図１１】
0004548013.tif 000012